(57)【要約】【課題】火炎が発生せず、軽量で持ち運びの容易な加熱器具を提供する。【解決手段】矩形の頂板および底板を有し、アルミニウム板で形成された内部が空洞のケースを備え、底板の外側に取り付けられた面状ヒータと、ケースの内部に注入されたオイルとをさらに備え、頂板の上に調理器具を置き、面状ヒータを作動させ、面状ヒータから発せられる熱を調理器具に伝達させることにより煮炊きを行うように構成されている加熱器具が提供される。【選択図】  図１
2018086233.tif 000002
【特許請求の範囲】
【請求項１】
アルミニウム板で形成された内部が空洞のケースを備え、前記ケースが、所定間隔を隔てて平行に配置された矩形の頂板および底板と、前記頂板および前記底板の縁部に配置され、前記頂板と前記底板とを連結するための４枚の側板とを有し、前記ケースの内部には、前記頂板と前記底板とを連結し、かつ、前記ケースの内部に連通空間を形成する仕切板が配置されており、
前記底板の外側に取り付けられた面状ヒータと、
前記ケースの内部に注入されたオイルとをさらに備え、
前記頂板の上に調理器具を置き、前記面状ヒータを作動させ、前記面状ヒータから発せられる熱を、前記仕切板および前記菜種油の層を介して前記調理器具に伝達させることにより煮炊きを行うように構成されていることを特徴とする加熱器具。
【請求項２】
前記オイルが菜種油であることを特徴とする請求項２に記載された加熱器具。
【請求項３】
前記面状ヒータが、前記底板の外側に取り外し可能に取り付けられていることを特徴とする請求項１又は２に記載された加熱器具。
【請求項４】
前記請求項１から前記請求項３までのいずれか１項に記載された加熱器具と、
前記加熱器具の上に配置される放熱筒とを備え、
前記放熱筒が、上端および下端が開放した四角筒又は円筒に形作られ、外周に外方に突出した複数基の放熱フィンが設けられていることを特徴とする暖房用放熱システム。
【請求項５】
前記放熱筒の内面に遠赤外線塗料が塗布されていることを特徴とする請求項４に記載された暖房用放熱システム。
【発明の詳細な説明】
【技術分野】
【０００１】
本発明は、主として煮炊き等の調理に用いられる加熱器具及び該加熱器具を使用した暖房用放熱システムに関する。
【背景技術】
【０００２】
野外で調理する場合や、災害や停電のためキッチンの加熱器具を使用することができない状態で調理する場合には通常、ガスボンベ式のカセットコンロやバーベキューコンロ等の器具が使用される。
【０００３】
一方、例えば温室ハウスや住宅・ビルなどの暖房用として、灯油焚き暖房器や電気式暖房器などが用いられている。
【発明の概要】
【発明が解決しようとする課題】
【０００４】
上述のようにキッチンの加熱器具を使用することができない場合には、カセットコンロやバーベキューコンロ等は重宝するが、これらのコンロは、嵩張って重いため、持ち運びや取り扱いが不便であるという難点がある。また、これらのコンロは、使用時に火炎が生ずるため、火災の発生に注意しなければならないという不都合もある。
【０００５】
また、温室ハウスや住宅・ビルなどの暖房用として灯油焚き暖房器を用いると火災発生のおそれがあり、電気式暖房器を用いるとコスト面で問題があるため、安全で廉価な暖房手段が望まれている。
【０００６】
本発明は、このような状況に鑑みて開発されたものであって、火炎が発生せず、軽量で持ち運びの容易な加熱器具及び該加熱器具を使用した暖房用放熱システムを提供することを目的としている。
【課題を解決するための手段】
【０００７】
本発明者は、厚みが比較的薄い箱形の骨格をアルミニウムで形成し、骨格の一方の面に面状ヒータを配置し、骨格の他方の面に鍋などの調理器具を載せるように構成した加熱器具を開発した。そして、箱形の骨格内をオイルで満たすことによって、面状ヒータからの熱が加熱器具に効率的に伝達されるようにした。
【０００８】
すなわち、熱伝導率の大きなアルミニウムで加熱器具を形成するが、加熱器具全体をアルミニウムで形成すると、重くなり持ち運びに不便となる。そこで、骨格のみをアルミニウムで形成し、骨格以外の部分を空洞とする。一方、空気の熱伝導率は小さい（１００℃で約０．０３１６W/m・k）ので、空気より熱伝導率の大きなオイル（１００℃で約０．１４W/m・k）を空洞に入れる。そして、骨格の一方の側に面状ヒータを配置し、面状ヒータから発せられる熱を骨格の他方に側に伝達し、骨格の他方の側に調理器具を載せることにより、煮炊きを行うようにした。なお、空洞に入れるオイルは、安全を考慮して、引火点の低い菜種油（３１３℃〜３２０℃）を用いるのが好ましい。以上のように構成することにより、火炎が発生せず、軽量で持ち運びの容易な加熱器具を実現した。
【０００９】
また、このような加熱器具を利用することにより、安全かつ廉価な暖房手段を提供することができる。
【００１０】
本願請求項１に記載された加熱器具は、アルミニウム板で形成された内部が空洞のケースを備え、前記ケースが、所定間隔を隔てて平行に配置された矩形の頂板および底板と、前記頂板および前記底板の縁部に配置され、前記頂板と前記底板とを連結するための４枚の側板とを有し、前記ケースの内部には、前記頂板と前記底板とを連結し、かつ、前記ケースの内部に連通空間を形成する仕切板が配置されており、前記底板の外側に取り付けられた面状ヒータと、前記ケースの内部に注入されたオイルとをさらに備え、前記頂板の上に調理器具を置き、前記面状ヒータを作動させ、前記面状ヒータから発せられる熱を、前記仕切板および前記菜種油の層を介して前記調理器具に伝達させることにより煮炊きを行うように構成されていることを特徴とするものである。
【００１１】
本願請求項２に記載された加熱器具は、前記請求項１の加熱器具において、前記オイルが菜種油であることを特徴とするものである。
【００１２】
本願請求項３に記載された加熱器具は、前記請求項１又は２の加熱器具において、前記面状ヒータが、前記底板の外側に取り外し可能に取り付けられていることを特徴とするものである。
【００１３】
本願請求項４に記載された暖房用放熱システムは、前記請求項１から前記請求項３までのいずれか１項に記載された加熱器具と、前記加熱器具の上に配置される放熱筒とを備え、前記放熱筒が、上端および下端が開放した四角筒又は円筒に形作られ、外周に外方に突出した複数基の放熱フィンが設けられていることを特徴とするものである。
【００１４】
本願請求項５に記載された暖房用放熱システムは、前記請求項４の暖房用放熱システムにおいて、前記放熱筒の内面に遠赤外線塗料が塗布されていることを特徴とするものである。
【発明の効果】
【００１５】
本発明によれば、熱伝導率の大きなアルミニウムで骨格を形成し、空気より熱伝導率の大きなオイルを空洞に入れることにより、面状ヒータからの熱を効率的に調理器具に伝えることができるので、火炎を発生させずに煮炊きすることができ、軽量で持ち運びの容易な加熱器具を提供することができる。また、面状ヒータを取り外し可能に構成することにより、保管時や携行時に便利となる。本発明の加熱器具は、構造が比較的簡単であるので、製造コストが安価であり、維持管理も容易である。さらに、加熱器具を使用した暖房用放熱システムでは、暖房源となる加熱装置に火災発生のおそれがなく、製造コストも安価であるため、安全かつ安価な暖房環境を提供することができる。
【図面の簡単な説明】
【００１６】
【図１】本発明の好ましい実施の形態に係る加熱器具を模式的に示した分解斜視図である。
【図２】図２（ａ）は図１の加熱器具の平面図、図２（ｂ）は図２（ａ）の線２ｂ−２ｂに沿って見た側面図、図２（ｃ）は図２（ｂ）の線２ｃ−２ｃに沿って見た断面図、図２（ｄ）は図２（ｂ）の部分２ｄの拡大図である。
【図３】図２（ｃ）の線３−３に沿って見た拡大図である。
【図４】図１の加熱器具の使用手順を示した一連の図である。
【図５】本発明の好ましい実施の形態に係る暖房用放熱システムを模式的に示した分解斜視図である。
【図６】図６（ａ）、（ｂ）は図５の暖房用放熱システムにおいて加熱器具と放熱筒の連結箇所を示した図、図６（ｃ）は図５の暖房用放熱システムの周囲が金網で覆われている状態を示した図である。
【図７】図５の暖房用放熱システムの使用例を示した図である。
【発明を実施するための形態】
【００１７】
次に図面を参照して、本発明の好ましい実施の形態に係る加熱器具について説明する。図１は、本発明の好ましい実施の形態に係る加熱器具を模式的に示した分解斜視図である。図１において全体として参照符号１０で示される本発明の好ましい実施の形態に係る加熱器具は、アルミニウム板で形成された内部が空洞のケース１２を備えている。
【００１８】
ケース１２は、所定間隔ｘを隔てて平行に配置された矩形の頂板１２ａおよび底板１２ｂと、頂板１２ａおよび底板１２ｂの縁部に配置され、頂板１２ａと底板１２ｂとを連結するための側板１２ｃ、１２ｄ、１２ｅ、１２ｆとを有している。これにより、厚さｘの箱形のケース１２が形成される。
【００１９】
ケース１２の内部は、頂板１２ａと底板１２ｂとを連結し、かつ、ケース１２内部に連通空間を形成する仕切板１２ｇが配置されている。図示された例では、４枚の仕切板１２ｇを側板１２ｃと側板１２ｄに互い違いに接触させることによって、ケース１２内部に連通空間を形成するようになっているが、これは、一例であって、頂板１２ａと底板１２ｂとを連結し、かつ、ケース１２内部に連通空間を形成するようなものであれば、他の実施形態を採用してもよい。なお、仕切板１２ｇも、アルミニウムで形成されている。
【００２０】
頂板１２ａの隅部には、ケース１２の内部にオイルを注入するためのオイル注入口１２ｈが設けられており、オイル注入口１２ｈには、外部とケース１２の内部とを密封するための注入口キャップ１２ｈ１が嵌め込まれ又はねじ込まれている。
【００２１】
底板１２ｂの外側には、面状ヒータ１４が取り付けられている。面状ヒータ１４は、市販されている通常のものを使用してよい。
【００２２】
図２（ｄ）に示されるように、底板１２ｂの外側に一対のレール１４ａを取り付け、レール１４ａに面状ヒータ１４を差し込むことによって、面状ヒータ１４を取り外し可能にするのが好ましい。
【００２３】
次に、主として図４を参照して、本発明の好ましい実施の形態に係る加熱器具１０の使用について説明する。加熱器具１０を使用しないときは、ケース１２を空にしておくのが好ましい（図４（ａ））。まず最初に、注入口キャップ１２ｈ１を外して、オイル注入口１２ｈからケース１２の内部にオイルを注入する（図４（ｂ））。ケース１２の内部が連通空間を形成しているので、注入されたオイルの液位は、ケース１２の内部で均一である。ケース１２の内部がオイルでほぼ満たされたら、オイルの注入を止め、オイル注入口１２ｈに注入口キャップ１２ｈ１を嵌め込み又はねじ込む（図４（ｃ））。これで、加熱器具１０の使用準備は完了である。なお、加熱時にオイルは熱膨張するが、熱膨張したオイルの上面が頂板１２ａの下面に接触し、ケース１２の内部の空洞がオイルで完全に満たされるのが最も好ましいが、空洞に僅かな空気層が残っていたとしても、加熱器具１０の使用に大きな支障はない。
【００２４】
調理時に、頂板１２ａの上に、食材を入れた調理器具（鍋など）を置き、面状ヒータ１４を作動させる（図４（ｄ））。すると、図３に示されるように、面状ヒータ１４からの熱は、仕切板１２ｇを介して頂板１２ａに伝達されるとともに、オイル層を介しても頂板１２ａに伝達され、これにより空洞内が空気層である場合と比較してより効率的に煮炊きを行うことができる。
【００２５】
なお、使用時に遠赤外線効果が得られるように、頂板１２ａの上面に遠赤外線塗料を塗布してもよい。
【００２６】
次に、本発明の好ましい実施の形態に係る加熱器具１０を使用した暖房用放熱システムについて説明する。図５において全体として参照符号２０で示される本発明の好ましい実施の形態に係る暖房用放熱システムは、加熱器具１０と、加熱器具１０の上に配置される放熱筒２２とを備えている。
【００２７】
放熱筒２２は、図５に示されるように、対向した二対の側板２２ａ、２２ｂを有し、上端および下端が開放した四角筒によって形作られており、側板２２ａ、２２ｂの外周には、外方に突出した複数基の放熱フィン２２ｃが設けられている。好ましくは、側板２２ａ、２２ｂおよび放熱フィン２２ｃは、熱伝導率の良好なアルミニウムで形成されている。
【００２８】
放熱筒２２は、加熱器具１０の頂板１２ａに設けた突起１２ａ１の外側に下端を嵌め込んだり（図６（ａ））、或いは継手板２２ｄを介して加熱器具１０と連結する（図６（ｂ））等の手段を講じることによって、加熱器具１０の上から容易に外れたりしないようになっている。加熱した放熱筒２２に接触して火傷することのないように、放熱筒２２の周囲を金網２４で覆うことが好ましい（図６（ｃ））。
【００２９】
なお、使用時に遠赤外線効果が得られるように、放熱筒２２の内面に遠赤外線塗料を塗布してもよい。
【００３０】
図７は、暖房用放熱システム２０の使用の一例を示した図である。すなわち、温室ハウスの一隅に暖房用放熱システム２０を設置し、暖房用放熱システム２０の直上に受入口を備えたダクトを温室ハウスの天井部に長手方向に延びるように設ける。そして、暖房用放熱システム２０を作動させると、暖気が、加熱器具１０、放熱筒２２を介して受入口からダクトに流入し、吹出口から温室ハウスの各所に流出する。それとともに、放熱筒２２の放熱フィン２２ｃを介して暖気が暖房用放熱システム２０の周囲に輻射されて温室ハウスが暖められる。
【００３１】
本発明は、以上の発明の実施の形態に限定されることなく、特許請求の範囲に記載された発明の範囲内で、種々の変更が可能であり、それらも本発明の範囲内に包含されるものであることはいうまでもない。
【００３２】
たとえば、図示されている加熱器具１０の縦横高さの比率や面状ヒータ１４の大きさ、オイル注入口１２ｈの位置などは例示的なものにすぎず、他の適当な比率や大きさ、位置を採用してもよい。また、前記実施形態では、暖房用放熱システム２０の放熱筒２２が四角筒に形作られているが、放熱筒２２を他の適当な形状（例えば、円筒）に形作ってもよい。さらに、前記実施形態では、温室ハウスの暖房用として暖房用放熱システム２０が説明されているが、たとえば住宅用やビル用の暖房システムとして使用してもよい。
【符号の説明】
【００３３】
１０  加熱器具
１２  ケース
１２ａ  頂板
１２ｂ  底板
１２ｃ〜１２ｆ  側板
１２ｇ  仕切板
１２ｈ  オイル注入口
１２ｈ１  注入口キャップ
１４  面状ヒータ
１４ａ  ヒータ取り付け用レール
２０  暖房用放熱システム
２２  放熱筒
２２ａ、１２ｂ  側板
２２ｃ  放熱フィン
２２ｄ  継手板
２４  金網
【図１】
2018086233.tif 000003
【図２】
2018086233.tif 000004
【図３】
2018086233.tif 000005
【図４】
2018086233.tif 000006
【図５】
2018086233.tif 000007
【図６】
2018086233.tif 000008
【図７】
2018086233.tif 000009